(57)【要約】  本発明は、概ね、ハウジング（１６）と、ハウジング上に取り付けた１枚又はそれより多くのブレード（１８）と、ハウジング上に取り付けた剥離部材（３６）と、前記剥離部材に繰り返し運動を提供する駆動機構とを含む湿式剃毛装置を特徴とする。
2007532252.tif 000002
【特許請求の範囲】
【請求項１】
ハウジング；
前記ハウジング上に取り付けた１枚又はそれより多くのブレード；
前記ハウジング上に取り付けた剥離部材；及び
繰り返し運動を前記剥離部材に提供する駆動機構、を含む湿式剃毛装置。
【請求項２】
前記剥離部材が、前記１枚又はそれより多くのブレードの前側に位置する請求項１に記載の装置。
【請求項３】
前記剥離部材と前記１枚又はそれより多くのブレードとの間にエラストマーのガード部材を更に含む請求項２に記載の装置。
【請求項４】
前記エラストマーのガード部材が、エラストマーの突出部を含む請求項３に記載の装置。
【請求項５】
前記突出部が、細長いフィンを含む請求項４に記載の装置。
【請求項６】
前記剥離部材と前記１枚又はそれより多くのブレードとの間にガードバーを更に含む請求項３に記載の装置。
【請求項７】
前記剥離部材が、前記ブレードに平行に配向した細長い部材である請求項１に記載の装置。
【請求項８】
前記剥離部材の前側にエラストマーの突出部を更に含む請求項３に記載の装置。
【請求項９】
前記剥離部材の前側にエラストマーの突出部を更に含む請求項５に記載の装置。
【請求項１０】
前記剥離部材が、前記１枚又はそれより多くのブレードの後側に位置する請求項１に記載の装置。
【請求項１１】
前記剥離させる部材が、研磨剤含有材料、繊維、ブラシ、ワイヤー−メッシュ、ざらざらの金属面、天然有機材料、及び化学的剥離剤から成る群の１つ又はそれより多くの部材から成る請求項１に記載の装置。
【請求項１２】
前記ハウジングに接続したハンドルを更に含み、前記駆動機構が、前記ハウジングの繰り返される運動を提供し、前記運動が、前記剥離部材及び前記ブレード部材に伝達される請求項１に記載の装置。
【請求項１３】
前記駆動機構が、前記ハウジング上に位置する請求項１２に記載の装置。
【請求項１４】
前記駆動機構が、前記ハンドル上に位置し、前記ハンドルの繰り返される運動が、前記ハウジングに伝達される請求項１２に記載の装置。
【請求項１５】
前記駆動機構が、前記ハウジングに振動を提供する請求項１３に記載の装置。
【請求項１６】
前記駆動機構が、前記ハンドルに振動を提供する請求項１４に記載の装置。
【請求項１７】
前記駆動機構が、前記剥離部材を前記ハウジングに関して移動させる請求項１に記載の装置。
【請求項１８】
前記駆動機構が、前記１枚又はそれより多くのブレードに平行である軸線に沿って前記剥離部材を前記ハウジングに関して横方向に移動させる請求項１７に記載の装置。
【請求項１９】
前記駆動機構が、軸線に沿って前記剥離部材を前記ハウジングに関して垂直方向に移動させる請求項１７に記載の装置。
【請求項２０】
前記駆動機構が、記剥離部材を周回式に移動させる請求項１７に記載の装置。
【請求項２１】
第２剥離部材を更に含み、前記剥離部材が、細長く且つ互いに隣接して互いに平行であり、前記駆動機構が、前記剥離部材を反対方向に移動させる請求項１８に記載の装置。
【請求項２２】
前記ハウジング上の線状軌道を更に含み、前記軌道で前記剥離部材が左右に移動する請求項１７に記載の装置。
【請求項２３】
前記駆動機構が、往復するシャフトと、クランクを含み、前記クランクが、前記シャフトに接続する一方の末端部と、前記剥離部材と操作的に係合するもう一方の末端部とを有して、前記軌道内で前記剥離部材を左右に移動させる請求項２２に記載の装置。
【請求項２４】
前記ハウジング上の第２剥離部材及び線状軌道を更に含み、前記軌道で前記剥離部材が左右に移動し、前記駆動機構が、前記剥離部材を反対方向に移動させる請求項１７に記載の装置。
【請求項２５】
前記ハウジングのための旋回取り付け部を更に含んで、剃毛中に前記ハウジングが旋回するのを可能にする請求項１に記載の装置。
【請求項２６】
前記駆動機構が、５ｍｍ以下の振幅を有する前記剥離部材の繰り返し運動を提供する請求項１に記載の装置。
【請求項２７】
前記駆動機構が、１〜３ｍｍの振幅を有する前記剥離部材の繰り返し運動を提供する請求項１に記載の装置。
【請求項２８】
前記駆動機構が、５００Ｈｚ未満の振動数を有する前記剥離部材の繰り返し運動を提供する請求項１に記載の装置。
【請求項２９】
前記剥離部材の繰り返し運動の振動数を制御する可変速度制御装置を更に含む請求項１に記載の装置。
【請求項３０】
前記駆動機構が、０〜１６０Ｈｚの振動数を有する前記剥離部材の繰り返し運動を提供する請求項２９に記載の装置。
【発明の詳細な説明】
【技術分野】
【０００１】
本発明は、剥離を有する剃毛装置に関する。
【０００２】
湿式剃毛装置において使用される剃毛かみそりは、一般に、ハウジング上に１枚又はそれより多くのブレードを有する。ブレードの前側で皮膚が接触する面は、ガードとして既知であり、ブレードの後側で皮膚が接触する面は、キャップとして既知である。多くの湿式剃毛装置では、ガードは、エラストマーの突出部を有し、ブレードの刃先が接触する前に皮膚と係合してこれを拡張し、キャップは、ブレードと接触した後に皮膚面に潤滑剤を提供する。
【０００３】
湿式剃毛装置の接触性を強化することもまた既知である。例えば、リアール（Lyall）の米国特許第３，９３９，５６０号は、ざらざらのガード面を有する剃毛装置を開示している。リアール（Lyall）のガード面は、ガード面を粒子で研磨するか、又は別の方法としては、ガード面を粒子でコーティングするか若しくはガード面に粒子を含ませることによりざらざらにできる。
【発明の開示】
【課題を解決するための手段】
【０００４】
本発明は、概ね、ハウジングと、ハウジング上に取り付けた１枚又はそれより多くのブレードと、ハウジング上に取り付けた剥離部材と、繰り返し運動を剥離部材に提供する駆動機構とを含む湿式剃毛装置を特徴とする。
【０００５】
本発明の好ましい実施形態は、次の特徴の１つ又はそれより多くを含んでよい。好ましい実施形態では、剥離部材は、ブレードの前側に位置する。エラストマーのガード部材は、剥離部材とブレードとの間に位置することが出来る。エラストマーのガード部材は、突出部、例えば細長いフィンを含むことが出来る。ガードバーは、剥離部材とブレードとの間に位置することが出来る。剥離部材は、細長く、ブレードに平行に向くことが出来る。エラストマーの突出部はまた、剥離部材の前側に位置することも出来る。或いは、剥離部材は、ブレードの後側に位置することが出来る。剥離させる部材は、研磨剤含有材料、繊維、ブラシ、ワイヤー−メッシュ、ざらざらの金属面、天然有機材料、又は化学的剥離剤から作製できる。剃毛装置はまた、ハウジングに接続したハンドルも含むことが出来る。駆動機構は、ハウジングの繰り返される運動を提供し、その運動が、剥離部材及びブレード部材に伝達され得る。駆動機構は、ハウジング上に又はハンドル内に位置することが出来る。駆動機構は、ハウジングに（直接又は間接的に）振動を提供し、その振動が、次に剥離部材に伝達され得る。或いは、駆動機構は、例えば線状軌道で横方向に左右に、ハウジングに関して垂直方向に上下に、又は剥離部材をハウジングに関して周回式に移動させることが出来る。横方向に移動する時、細長い２つの剥離部材を使用して反対方向に移動させることが出来る。横方向の運動では、駆動機構は、往復するシャフトとクランクを含み、クランクは、シャフトに接続した一方の末端部と、剥離部材に操作的に係合するもう一方の末端部とを有して、剥離部材を軌道内で左右に移動させることが出来る。剃毛装置は、好ましくは、ハウジングのための旋回取り付け部を含み、剃毛中にハウジングが旋回するのを可能にする。駆動機構は、好ましくは、５ｍｍ以下の、最も好ましくは１〜３ｍｍの振幅を有する剥離部材の繰り返し運動を提供する。駆動機構は、好ましくは、５００Ｈｚ未満の振動数を有する剥離部材の繰り返し運動を提供する。剃毛装置は、剥離部材の繰り返し運動の、例えば０〜１６０Ｈｚの振動数を制御出来る可変速度制御装置を含む。
【０００６】
実施形態は、次の利点の１つ又はそれより多くを含むことが出来る。剥離部材が、死んだ皮膚細胞を除去し、ブレードによって、より滑らかな皮膚面とより効果的な毛髪の除去とが提供される。剥離部材を使用すると、結果として、皮膚の外見がより健康的にもなり、皮膚のすぐ下の血流が増加する。電力で作動する装置の使用で、快適性を改善し、より良好な剃毛性能を提供する。振動は、皮膚の感度を低下させ、剥離部材の使用に関する不快感を幾分遮蔽して、粒子の刺激性を増強することがある。加えて、追加的な運動により剥離部材の効果が増大するが、それは単純な剃毛ストロークによって得られるよりも、剥離させる作用及び適用範囲が大きいからである。電力で作動する横方向の運動は、剃毛中に多数のストロークを提供することによって効果を増大する。
【０００７】
本発明の他の特徴及び利点は、説明及び図面、並びに請求項から明らかになるであろう。
【発明を実施するための最良の形態】
【０００８】
図１に関し、剃毛かみそり１０は、ハンドル１２及び取り換え可能な剃毛カートリッジ１４を含む。カートリッジ１４は、ハウジング１６を含み、ハウジング１６は、３枚のブレード１８、ガード２０、及びキャップ２２を有する。カートリッジ１４はまた、連結部材２４も含み、連結部材２４の上にハウジング１６が旋回可能に取り付けられる。連結部材２４は、ハンドル１２の末端部２６でカートリッジ接続構造体（示されず）に取り外し可能に、固定的に取り付けられる基部２７と、軸線３０の周囲で回転するために２つの側面でハウジング１６を旋回可能に支持する２つのアーム２８とを含む。ハンドル１２及びカートリッジ１４の構造は、概ね、米国特許第５，７８７，５８６号及び第５，９５６，８５１号に記載されるが、これらが本明細書に参考として組み込まれる。
【０００９】
ハンドル１０は、内部モータ３２及び偏心部材３４を含み、ハンドルに振動が提供されて、その振動が、次にカートリッジ１４のハウジング１６と、ハウジング上に取り付けた構成要素とに伝達される。そのようなモータ及び偏心部材は、米国特許第５，２９９，３５４号に記載されるが、これが本明細書に参考として組み込まれる。ハンドル１０はまた、制御ノブ３４も含み、制御ノブ３４は、モータ３２の１分間当たりの回転数を制御する。
【００１０】
図１及び図２に関し、カートリッジ１４のハウジング１６は、ブレード１８の基礎部分５９の縁部を受容するための、側壁６０における内側に向いた溝５８と、上で各ブレード１８が弾力的に支持される各弾力的アーム６２とを有する。クリップ６８は、ブレード１８をハウジング１６内で保持し、ばね偏倚したブレードの刃先を所望の露出度で配置するために、ハウジング１６の各側で、側壁６０の高くなった縁部７０の内側に固定される。キャップ２２は、つるつるの剃毛補助具を提供出来（或いは、キャップ２２は剥離部材であってもよく、それは下記に更に詳細に説明される）、且つハウジング１６の後部の溝６６に受容される。キャップ２２は、疎水性材料と、透水性、親水性ポリマー材料との混合物を含む材料から作製されてもよく、これは当該技術分野において既知であり、例えば、米国特許第５，１１３，５８５号及び第５，４５４，１６４号に記載されるが、これが本明細書に参考として組み込まれる。
【００１１】
図２に関し、ハウジング１６の前側のガード２０は、剥離部材３６及びエラストマーのフィン３８を含み、そのどちらも、ガードバー４０の前側でハウジング１６の長さに沿って伸びる。エラストマーのフィン３８は、ユーザの皮膚と係合してこれを拡張するが、皮膚に係合する他の突出部、例えば米国特許第５，１９２，７１２号に記載され、本明細書に参考として組み込まれるものが、使用できる。
【００１２】
剥離は、一般に、死んだ皮膚の薄片又は剥片が剥がれ落ちることと説明される。剥離部材３６は、例えば、取り付けた研磨材（例：サンドペーパー）、複合物含有強化繊維、ブラシ（ブラシの繊維に研磨要素を有するか又はない）、成形面（例：ざらざらの成形面）、ワイヤー−メッシュ、ざらざらの（例：エッチングした）金属面、石若しくは石様材料（例：軽石）、個々のフィンガー（例：プラスチックフィンガー）、個々のノブ、スプレーコーティング若しくはディップコーティングした面、凝集した発泡体、織布面（例：テリークロス）、又はフック・ループ式ファスナ（例：ベルクロ（Velcro）（登録商標）ファスナ）のフック及び／又はループ構成要素から作製できる。剥離部材３６は、剥離に好適であるいかなる質感を有することもできる。剥離部材は、不織布の細い繊維の質感などの、比較的滑らかな剥離させる質感を有することができるか、又は軽石の質感などの、比較的ざらざらした剥離させる質感を有することができる。剥離部材における剥離させる要素は、多くの様々なタイプの剥離させる要素のいずれであってもよい。例えば、剥離させる要素は、研磨用粒子を含有することができ、それは、摩砕した果実の種子及び石（例：アプリコット、桃、アボカド、若しくはオリーブの種子、又は石）、摩砕した堅果の殻（例：クルミ、アーモンド、ココナツ、又はペカンの殻）、摩砕した若しくは繊維性植物材料（例：ヘチマ、トウモロコシの穂軸、オートミール）、ポリマービーズ若しくは粒状ポリマー（例：ポリスチレンビーズ、ポリエチレンビーズ）、ホホバワックスビーズ、コメヌカ、シリカ、無機質、粒状無機質複合物（例：砂、軽石砂）、粘土、又はこれらの組み合わせなどである。剥離させる要素は可溶性であってもよい。剥離させる要素は、先ずユーザの皮膚と接触して研磨するが、その後水又は剃毛クリーム及び剃毛ジェルと接触して溶解する材料（例：海塩）であってもよい。幾つかの場合、剥離させる要素は、α又はβ−ヒドロキシ酸（例：クエン酸、乳酸、グリコール酸、酒石酸）などの化学的剥離剤を含有してもよい。そのような場合、化学的剥離剤は、剃毛中に破裂するマイクロカプセルに含まれ、その結果、剥離を行うことが出来る。この場合、剃毛中に腐食するか又は溶解するマトリックス材料を使用し、新しいマイクロカプセルが露出して、破裂したものと置き替わることが、一般に望ましい。好適なマイクロカプセルの範囲は、約５０ミクロン未満〜約１０００ミクロンの大きさであってよい。マイクロカプセルに封じ込めると、例えば、押出し成形又は成形作業中に感熱酸剤が分解するのを防ぐことにより、剥離剤を保護するのを援助できる。一般に、好適な剥離させる要素は、剃毛中に剥離させる要素が皮膚の弛んだ薄片を除去するのを可能にするのに充分な硬度、ざらつき、及び／又は粘着性を有する。剥離させる要素は、剃毛中に破断しないように充分に硬くてもよく、又は所望される場合、より柔軟であってもよい。
【００１３】
剥離部材は、約２〜約１０ｍｍの幅と、ハウジング１６の長さの大部分に沿って伸びる長さとを有することができる。刃先を通る平面に関する剥離パッドの高さは、一定であってもよいか、又は調節可能であってもよいが、それが、米国特許出願１０／７３２，５５５（２００３年１２月１０日出願）に記載され、本明細書に参考として組み込まれる。
【００１４】
図３及び図４は、ガード２０の別の実施形態を示している。図３では、ガード４２は、剥離部材４６の前側に３枚のフィン４４を有する。図４では、ガード４８は、剥離部材５２の前側の２枚のフィン５０と、剥離部材５２の後側の２枚のフィン５０とを有する。
【００１５】
別の実施形態では、キャップ２２は、上述のような剥離材料から作製される。
【００１６】
かみそり１０を使用する時、ユーザは、振動させるモータをオンにし、そしてノブ３４を回転させることによって所望の操作振動数を選択する。次に、ユーザは、通常の剃毛ストロークを使用して剃毛する。フィン３８、４４、又は５０は、ブレードの前側の皮膚と係合して、これを拡張し、キャップ２２は、潤滑性を提供する。剥離させる部材３６、４６、又は５２は、ストローク毎に、死んだ皮膚細胞を除去し、ブレード１８が接触する前により滑らかな皮膚面を提供して、ブレード１８による、より効果的な毛髪の除去を提供する傾向がある。ハンドル１２内の偏心部材３４の回転が、ハンドル１２の末端部２６を振動させる。これらの振動は、次に、ハウジング１６に、その上で支えられるガード２０（その上の剥離部材３６、４６、又は５２を含む）、ブレード１８、及びキャップ２２に伝達される。振動は、皮膚の感度を低下させ、剥離部材３６の使用に関する不快感を幾分遮蔽して、粒子の刺激性を増強することがある。振動は、快適性を改善し、より良好な剃毛性能を提供する。軸線３０の周囲で旋回する接続により、剃毛中にハウジング１６が旋回し、顔の輪郭に追従するのが可能になり、カートリッジがハンドルに対して旋回しない接続を有する振動かみそりで起こることがある、ユーザが振動するカートリッジを皮膚に強く押し当て過ぎるという懸念をユーザーが意識することなく回避する。
【００１７】
図５〜図７は、別のかみそり１００を示し、かみそり１００では、剥離部材１０２は、ハウジング１６に関して移動するように取り付けられ、ハウジング１６は、アーム２８を介して、改良されたハンドル１０４に旋回可能に取り付けられている。剥離部材１０２は、往復運動をするシャトル１０６上に取り付けられ（図６参照）、シャトル１０６は、ハウジング１６の後部に取り付けた壁１１０によって提供される軌道内で滑動する細長いプラットフォーム１０８を有する。シャトル１０６は、壁１１０と壁１１０との間の基礎部材１１２の開口部を通過し、その下に、溝をつけた基礎部分１１４を有する。基礎部材１１２は、ハウジング１６に固定されている。ハンドル１０４は、内部モータ及び駆動装置１１６を有し、駆動装置１１６は、小さい角度を通してシャフト１１８及びその上の延伸部１２０を往復運動で回転させる。延伸部１２０は、基礎部分１１４の溝１２２の中に位置し、延伸部１２０の往復運動により、プラットフォーム１０８及びその上の剥離部材１０２を横方向に往復運動させるが、それが図７に示されている。剃毛中に（図５の想像図で示されるように）ハウジング１６が軸線３０の周囲で旋回する時、延伸部１２０は、溝１２２の中に留まり、そして剥離部材１０２に往復運動を提供し続ける。剃毛中に多数のストロークが提供され、単純な剃毛ストロークによって得られるものと比較して増大した適用範囲が提供されるとことにより、剥離部材１０２の横方向の運動の効果が増大する。
【００１８】
或いは、剥離部材１０２は、垂直方向の振動として、すなわち、ブレード１８の刃先を通過する平面の中に、平面から外に駆動することができる。或いは、剥離部材は、ブレードに関して左右に、又は周回式に移動できる。
【００１９】
図８は、別の実施形態を示し、この形態では、１つの横方向に移動する部材の動きが、皮膚をハウジング１６に対する側に引っぱる傾向を打ち消すために、隣接する平行な２つの剥離部材１３０、１３２が、反対方向に（示されない好適な駆動装置により）往復運動で駆動する。
【００２０】
他の実施形態は、次の請求項の範囲内にある。例えば、振動発生機が、ハウジング１６の中に取り付けられてもよく、又はハウジング１６に直接取り付けられてもよい。
【図面の簡単な説明】
【００２１】
【図１】剥離を有する湿式剃毛装置の斜視図。
【図２】図１の湿式剃毛装置のカートリッジの構成要素を示す組立て分解垂直断面図。
【図３】図２のカートリッジのガードの、別の実施形態の部分断面図。
【図４】図２のカートリッジのガードの、更に別の実施形態の部分断面図。
【図５】湿式剃毛装置の別の実施形態の立面線図。
【図６】図５の湿式剃毛装置の構成要素の斜視図。
【図７】図５の湿式剃毛装置の構成要素を示す部分平面図。
【図８】湿式剃毛装置の別の実施形態の構成要素を示す部分平面図。
【図１】
2007532252.tif 000003
【図２】
2007532252.tif 000004
【図３】
2007532252.tif 000005
【図４】
2007532252.tif 000006
【図５】
2007532252.tif 000007
【図６】
2007532252.tif 000008
【図７】
2007532252.tif 000009
【図８】
2007532252.tif 000010
【国際調査報告】
2007532252.tif 000011
2007532252.tif 000012
2007532252.tif 000013
2007532252.tif 000014